(57)【特許請求の範囲】
【請求項１】
部屋窓用開口部に取り付ける窓枠取付構造であって、窓枠は、前記開口部の上側に設けた上枠と、前記開口部の左右両側に設けた側枠と、前記開口部の下側に設けた下枠とで構成され、前記上枠は左右の前記側枠よりも室内側に長さ方向全長に亘って水平に張り出した張出部を備えており、前記張出部はその下面がカーテンレール取付面となっており、かつ前記張出部の前端部および左右側端部にカーテンレールを覆い隠す垂下板を設け、前記張出部の左右側端部に設けた前記垂下板は、左右の前記側枠の前端部に接することを特徴とする窓枠取付構造。
【請求項２】
前記張出部は前記上枠とは別の部材として前記上枠の前端部に着脱可能に取り付けてあることを特徴とする請求項１に記載の窓枠取付構造。
【請求項３】
前記窓枠を構成する前記上枠、前記張出部、左右の前記側枠、前記下枠および前記垂下板は、全て同一の化粧を施してあることを特徴とする請求項１または請求項２のいずれかに記載の窓枠取付構造。
【発明の詳細な説明】
【技術分野】
【０００１】
本発明は、部屋窓の開口部における窓枠取付構造に関するものである。
【背景技術】
【０００２】
従来、実開昭６３−１２４８７５号公報（特許文献１）の窓枠取付構造においては、図
５に開示されているように、カーテンボックスは壁面を形成する化粧用面材の表面に固定
され、前方へ突設した逆Ｌ字形のカーテン支持具と、このカーテン支持具の下面に固定さ
れたカーテンレールと、前記カーテン支持具の前端部に逆Ｌ字型金具を介して木ねじによ
って取り付けられ、前記カーテンレールを被覆するように配置された化粧板とから形成さ
れる。そして、前記化粧用面材は、壁を構成する壁パネルの室内側の表面に配置され、前
記カーテン支持具は、前記化粧用面材と共に前記壁パネルの室内側の表面に木ねじによっ
て固定される技術は知られている。
【先行技術文献】
【特許文献】
【０００３】
【特許文献１】実開昭６３−１２４８７５号公報
【発明の概要】
【発明が解決しようとする課題】
【０００４】
前記特許文献１に示された従来技術によれば、カーテンボックスを壁面に取り付けるた
めには、あらかじめ化粧用面材裏面(壁内側)に１枚面材を重ねる必要があること、施工
した後にカーテンレールおよびカーテンボックスが不要となった場合、カーテンレールが
カーテン支持具を介して取り付けているため、室内側の壁面に木ねじの穴跡が残り、外観
上見苦しくなる。さらに、窓枠とカーテンボックスは別製品であるため、既に施されてい
る化粧の色や柄が異なり、外観上すっきりとせず意匠性が優れないことが多々あった。本
願発明は上記問題点を解消するためになされたもので、簡単な構造であり、かつ意匠性に
優れた窓枠取付構造を提供することにある。
【課題を解決するための手段】
【０００５】
請求項１に記載の発明の窓枠取付構造は、前記開口部の上側に設けた上枠と、前記開口部の左右両側に設けた側枠と、前記開口部の下側に設けた下枠とで構成され、前記上枠は左右の前記側枠よりも室内側に長さ方向全長に亘って水平に張り出した張出部を備えており、前記張出部はその下面がカーテンレール取付面となっており、かつ前記張出部の前端部および左右側端部に前記カーテンレールを覆い隠す垂下板を設け、前記張出部の左右側端部に設けた前記垂下板は、左右の前記側枠の前端部に接することを特徴とするものである。
【０００６】
請求項２に記載の窓枠取付構造は、前記張出部は前記上枠とは別の部材として前記上枠の前端部に着脱可能に取り付けてあることを特徴とするものである。
【０００８】
請求項３に記載の窓枠取付構造は、前記窓枠を構成する前記上枠、前記張出部、左右の前記側枠、前記下枠および前記垂下板は、全て同一の化粧を施してあることを特徴とするものである。
【発明の効果】
【０００９】
請求項１記載の発明によれば、窓枠の上枠がその長さ方向に亘り室内側に張り出した張出部において、この張出部の前端部および左右側端部に垂下板が設けられているので、カーテンレールを覆うカーテンボックスの機能を有することになり、従来行われていたカーテンボックスを取り付けるための躯体工事等手間のかかる作業が不要となる。更に前記上枠の前端部と前記張出部との接合部分のみにかかっていた前記カーテンボックスの自重の負荷を、左右の前記側枠の前端部に分散させることで、前記カーテンボックス全体の脱落をしっかり防止することができる。
【００１０】
請求項２記載の発明によれば、窓枠の施工後にカーテンレールやカーテンボックスが不
要となれば、前記張出部が着脱可能な別部材であるので取り外しすることができ、前記上
枠がすっきりとした外観となる。また、前記カーテンレールや前記カーテンボックスが必
要となった場合、前記張出部である別部材を前記上枠の前端部に取り付けるだけで躯体工
事等手間のかかる作業は不要となる。
【００１２】
請求項３記載の発明によれば、上枠、張出部、左右側枠、下枠および垂下板といった前記窓枠を構成する部材に全て同一の化粧を施すことによって、窓枠と前記カーテンボックスが外観上一体感を生み出し、すっきりとなって意匠性が向上する。
【図面の簡単な説明】
【００１３】
【図１】カーテンボックスの構成を示す一部分解斜視図
【図２】窓枠にカーテンボックスを取り付ける前の状態を示す斜視図
【図３】窓枠にカーテンボックスを取り付ける前の状態を示す要部拡大断面図
【図４】窓枠にカーテンレールおよびカーテンボックスを取り付けた後の状態を示す要部拡大断面図
【図５】従来のカーテンボックスを示す断面図
【発明を実施するための形態】
【００１４】
以下、図面を参照して本願発明の実施の形態について説明する。
図１において、カーテンボックスＡは張出部１、前端部垂下板２および左右端部垂下板
３、３から構成されており（カーテンレールは図示せず）、また、図２に示すように、上
枠５、下枠６および左右側枠７、７で構成された窓枠Ｂが飼木８を介して下地桟９および
まぐさ１０に木ねじ（図示せず）で取り付けられている。図３に示すように、化粧用面材
１１は、窓枠Ｂが躯体に取り付けられた後、室内側の前面に取り付けられる。
【００１５】
図４に示すように、躯体に取り付けられた窓枠Ｂの上枠前端部１２にカーテンボックス
Ａの張出部1を取り付け、更にこの張出部１における前端部垂下板２および左右端部垂
下板３を各々取り付ける。カーテンボックスＡの組み立ておよび上枠前端部１２への取り
付け方法は、例えばダボまたはサネ継ぎといった固定手段（図示せず）が用いられる。ま
た、左右端部垂下板３は、張出部１、前端部垂下板２およびカーテンレール１３各々の木
口面を隠し、かつ左右側枠７の前端部１４に接することができる寸法となり、取り付け方
法は、左右側枠７の前端部に対しては固定手段を用いず、張出部１および前端部垂下板２
各々の木口面に接着剤等の固定手段を用いて取り付けられる。カーテンレール１３は、カ
ーテンボックスＡにあるカーテンレール取付面４に木ねじ（図示せず）で取り付けられる。
【００１６】
前記張出部１の前端部および左右側端部に各々の前端部垂下板２および左右端部垂下板
３、３が設けられているので、カーテンレール１３を覆うカーテンボックスＡの機能を有
することになり、従来行われていたカーテンボックスを取り付けるための躯体工事等手間
のかかる作業が不要となる。また、窓枠Ｂの施工後にカーテンレール１３やカーテンボッ
クスＡが不要となれば、前記張出部１が上枠５とは別部材で着脱可能とすることによって、
容易に取り外しすることができ、前記上枠５がすっきりとした外観となる。また、前記カ
ーテンレール１３やカーテンボックスＡが必要となった場合、前記別部材である張出部1
を前記上枠５の前端部に公知の固定手段を用いて取り付けるだけで躯体工事等手間のかか
る作業は不要となる。
【００１７】
そして、前記上枠５の前端部と前記張出部１との取付構造部分のみにかかっていた前記
カーテンボックスＡの自重の負荷を、前記張出部１における前記左右端部垂下板３、３と
これらが接する左右側枠７、７の前端部１４に分散させることで、前記カーテンボックス
Ａ全体の脱落をよりしっかりと防止することができる。また、上枠５、張出部１、左右側
枠７、下枠６および前端部垂下板２等、前記窓枠Ｂを構成する部材に全て同一の化粧を施
すことによって、前記窓枠Ｂと前記カーテンボックスＡが外観上一体感を生み出し、すっ
きりとなって意匠性が向上する。
【符号の説明】
【００１８】
Ａ    カーテンボックス
Ｂ    窓枠
１    張出部
２    前端部垂下板
３    左右端部垂下板
４    カーテンレール取付面
５    上枠
６    下枠
７    左右側枠
８    飼木
９    下地桟
１０  まぐさ
１１  化粧用面材
１２  上枠前端部
１３  カーテンレール
１４  左右側枠の前端部
【図１】
0006499880.tif 000002
【図２】
0006499880.tif 000003
【図３】
0006499880.tif 000004
【図４】
0006499880.tif 000005
【図５】
0006499880.tif 000006